(57)【要約】【目的】効率的に直射日光の遮光とともに自然光の採光を行うことができる板状遮光体を提供すること。【構成】実質的に一体化された透明板状体２０に、前面（室外側面）２０ａと後面（室内側面）２０ｂとの間に下向き傾斜スリット（第一傾斜スリット）２２と上向き傾斜スリット（第二傾斜スリット）２４とを交互に配設させた波形配設群スリット２６、２６Ａを少なくとも２個複形成したもの。下向き傾斜スリット２２と上向き傾斜スリット２４は、それぞれ境界面で光を全反射等して遮光する。【選択図】  図２
2004250960.tif 000002
【特許請求の範囲】
【請求項１】
実質的に一体化された透明板状体に、前面（光入射面）と後面（光透過面）との間に、互いに傾斜方向が逆向きの第一傾斜スリットと第二傾斜スリットとを交互に配設させた波形配設群スリットが複数個形成されてなることを特徴とする板状遮光体。
【請求項２】
後面波形断面の前遮光ユニットと前面波形断面の後遮光ユニットとの間に、両面波形断面の中間遮光ユニットが複数個挟持されて、前記複数個の波形配設群スリットが形成されていることを特徴とする請求項１記載の板状遮光遮光体。
【請求項３】
前記第一傾斜スリットと第二傾斜スリットとの連接部が平面部とされていることを特徴とする請求項２記載の板状遮光体。
【請求項４】
前記板状遮光体の波形配設群スリットの一端又は両端に位置する面に、さらに光吸収・散乱処理が施されていることを特徴とする請求項２記載の板状遮光体。
【発明の詳細な説明】
【０００１】
【技術分野】
本発明は、透明な基材をベースとする板状遮光体に関する。より、具体的には、部屋（室）の境界部に取り付けて、直射日光の屋内侵入を遮断したり、屋内に対する覗き見を阻止したり、さらには、電子機器（パソコン、携帯電話、レジスタ等）におけるディスプレイ（表示部）の斜め方向から他人の覗き見阻止などを目的とするスクリーン等に好適な発明に関する。
【０００２】
ここでは、ブラインドを主として例に採り説明するが、上記他のディスプレイ部材でも同様である。
【０００３】
【背景技術】
従来、直射日光の遮断や、外部からの覗き見阻止などを目的として汎用されているブラインドの側面断面図を図１に示す。図１は窓ガラス１２の内側（室内側）に吊下げられたブラインド１４を示すものであり、当該ブラインド１４は、複数枚の細長い遮光板（スラット）１６を等間隔に紐で吊下げた構成とされている。そして使用に際しては、当該遮光板（スラット）１６の交差角を適宜調節することにより、室外側から入射する直射日光を遮光したり、覗き見を防止したりしていた。
【０００４】
しかし、上記従来のブラインド１４では直射日光の進入を遮断するために遮光板１６を入射光に対向させると、室外側から取り入れたい自然光までが遮断されてしまい、室内側が暗くなるという問題があった。
【０００５】
また、図１の如く、一定間隔で遮光板１６が存在するため、室内側（例えばＰ２の視点）からの室外視認部位が狭かった（図１におけるａ１〜ａ４部位のみ）。
また逆に室外側（例えばＰ１の視点）から室内側を覗き見られるという欠点があった（図１におけるｂ１〜ｂ４部位）。
【０００６】
さらに、多数の遮光板１６が露出した構造であるため、埃で汚れやすく清掃が困難であるという欠点があった。
【０００７】
このため、遮光板（スラット）１６をプリズム等の透明体とし、入射光を反射・屈折させることで、直射日光を遮断しつつ自然光を効率的に採光するブラインドが提案されている（特許文献１・２等参照）。
【０００８】
また、遮光板（スラット）１６の代わりに、特殊形状の集光レンズを透明な化粧板間に配した調光パネルを用いたブラインドも開示されている（特許文献３参照）。
【０００９】
しかし、前者の透明遮光板１６を使用するブラインド１４は、依然として遮光板１６の隙間からの覗き見の防止が困難であった。また、埃で汚れた際の清掃が困難であり、汚れたままにしておくと効率的な採光が行えないという欠点も有していた。一方、後者の調光パネルを用いたブラインドは、複雑な集光レンズを必要とするため、製造工程が複雑であるという問題点があった。
【００１０】
【特許文献１】
特開平７−３０１０６４号公報
【特許文献２】
特開２００１−３２６５１公報
【特許文献３】
特開２００１−８２０５７公報
【００１１】
【発明の開示】
本発明は、上記にかんがみて、ブラインドに適用した場合に、直射日光の屋内侵入を遮断したり、屋内に対する覗き見を阻止したり、さらには、自然光の採光を行うことができる板状遮光体を提供することを目的とする。
【００１２】
本発明の他の目的は、電子機器（パソコン、携帯電話、レジスタ等）におけるディスプレイ（表示部）の斜め方向から他人の覗き見阻止することのできるスクリーンとして好適な板状遮光体を提供することを目的とする。
【００１３】
本発明の他の目的は、製造が容易な板状遮光体を提供することにある。
【００１４】
本発明者は、上記課題
（目的）を、解決するために鋭意開発に努力をした結果、下記構成の板状遮光体に想到した。
【００１５】
実質的に一体化された透明板状体に、前面（光入射面）と後面（光透過面）との間に、互いに傾斜方向が逆向きの第一傾斜スリットと第二傾斜スリットとを交互に配設させた波形配設群スリットが複数個形成されてなることを特徴とする。
【００１６】
当該構成の板状遮光体は、前面の波形配設群スリット２６の一端側（図例では上方）及び他端側（図例では下方）から入射する光は、それぞれ、第一傾斜スリット（下向き傾斜スリット）２２及び第二傾斜スリット（上向き傾斜スリット）２４に対してそれぞれ全反射する角度以上で入射する光より斜め上方又は下方の光は遮断され透視できないこととなる。すなわち、きわめて狭い範囲からしか透視できないこととなる。
【００１７】
したがって、日中の直射日光は有効に遮断できるとともに、基材が透明板状体で形成されているため、自然光の採光も充分に行うことができる。
【００１８】
また、電子機器のスクリーン等に適用した場合、斜めからの覗き見の阻止にも有効である。
【００１９】
上記において、波形配設群スリットを複数個とした方が、所定角度以上の前面側からの入射光の遮断をより確実に可能となる。
【００２０】
そして、上記各構成において、後面波形断面の前遮光ユニットと前面波形断面の後遮光ユニットとの間に、両面波形断面の中間遮光ユニットを１個又は複数個挟持して、複数個の波形配設群スリットを形成することを望ましい。
【００２１】
各遮光ユニットを係合させて第一傾斜スリットと第二傾斜スリットとの境界部で接合させるだけで製造が容易にできる。なお、各ユニットにおける波面は、平板を押出直後に、波付けロールで賦形することにより容易に製造することができる。
【００２２】
また、上記構成において、第一傾斜スリットと第二傾斜スリットとの接合部は平面部とすることが望ましい。鋭角部分がなくなり、ブラインド本体の不透明感を減ずることができるとともに、各遮光ユニット間相互の張り合わせ（接合）が安定して可能となる。
【００２３】
さらに、板状遮光体の波形配設群スリットの一端又は両端に位置する面に、さらに光吸収・散乱処理を施すことが望ましい。
【００２４】
ブラインドに適用する場合は、一端（下端面）のみに施し、こうした場合は、室外上方から進入して、下端面に到達した光線が室内側に進行するのを確実に阻止できる。また、電子機器のディスプレイにおけるスクリーンに適用する場合は、両端面における乱反射が阻止できて、乱反射によるディスプレイが見難くなることがなくなる。
【００２５】
【発明を実施するための最良の形態】
以下、本発明の実施形態を、ブラインドに適用した場合について説明する。なお、本実施形態では、板状遮光体はブラインドであるため、板状体を垂直方向に立設した場合を例に採り、「第一傾斜スリット」を「下向き傾斜スリット」と、「第二傾斜スリット」を「上向き傾斜スリット」とそれぞれ表現して、以下の説明を行う。
【００２６】
本発明の板状遮光ブラインドの一実施形態を図２に示す。
【００２７】
図２に示す板状遮光ブラインドは、基本的には、実質的に一体化された透明板状体（ブラインド本体）２０に、前面と後面との間に下向き傾斜スリット２２と上向き傾斜スリット２４とを交互に配設させた波形配設群スリット２６、２６Ａを複数個（図例では２個）形成したものである。即ち、第一波形スリット群２６と第二波形スリット群２６Ａとからなるものである。
【００２８】
ここで、上記透明板状体２０を形成（成形）するための透明材料は、光線を透過可能な材質であって、耐光性が良好なものが望ましく、無色透明、有色透明のいずれをも含むものとする。使用可能な材料（第一透明媒質）を下記する。なお、第一透明媒質の屈折率ｎ１および、第二媒質（屈折率の小さい側の透明媒質）を空気（屈折率ｎ２≒１．０）としたときの全反射臨界角Θｃを付記する。
【００２９】
具体的には、ポリメタクリル酸メチル（ＰＭＭＡ）（ｎ１：約１．４９、Θｃ：約４２°）、ポリカーボネート（ＰＣ）（ｎ１：約１．５９、Θｃ：約３９°））、ポリスチレン（ＰＳ）（ｎ１：約１．５９、Θｃ：約３９°）、ジエチレングリコールビスアリルカーボネート（ｎ１：約１．５０、Θｃ：約４１°）、スチレン−アクリロニトリル共重合体（Ｓｔ−ＡＮ）（ｎ１：約１．５７、Θｃ：約４０°）、スチレン−メタクリル酸メチル共重合体（Ｓｔ−ＭＭＡ）（ｎ１：約１．５６、Θｃ：約４０°）、ポリ４−メチルペンテン−１（ｎ１：約１．４６６、Θｃ：約４３°）等からなる有機ガラスや無機ガラス（ｎ１：約１．４２〜１．９２、Θｃ：約４５〜３１°）等。
【００３０】
そして、各傾斜スリット２２、２４は、入射光の進行方向を変更するためのものである。そして傾斜スリット２２、２４の内部（即ち空隙部）は、通常空気が存在することになる。このときスリット（空隙）幅は、全反射可能であれば特に限定されないが、通常、約０．０１〜５ｍｍの範囲でスリットの形成しやすさ、及び、遮蔽性等の見地から適宜設定する。
【００３１】
ここで、下向き傾斜スリット２２及び上向き傾斜スリット２４の透明板状体の前面（光入射面）２０ａ又は後面（光透過面）２０ｂとの交差角α、βは、図例では、同一であることに限定されないことを意図して、上向き傾斜スリット２４の交差角度βが下向き傾斜スリット２２の角度αより大きくしてある。なお、ディスプレイのスクリーンに適用する場合は、通常、両側からの覗き見防止の見地から同一とする。また、交差角α、βは、通常、２０〜４５°の範囲で適宜設定する。
【００３２】
上記ブラインド本体（透明板状体）２０の光透過方向の両側面、すなわち、左側面（室外側面）２０ａ及び右側面（室内側面）２０ｂは、それぞれ光入射面又は光透過面として機能する。即ち、図において向かって室外側（左側）から光線が入射する場合は、左側面が光入射面として、右側面が光透過面として機能し、逆に向かって室内側（右側）から光線が入射する場合は、左側面が光透過面として、右側面が光入射面として機能する。
【００３３】
透明板状体の作用を図２に基づいて、さらに詳細に説明する。基材の臨界角：４２°（透明体屈折率：１．５）の場合を例にとり説明する。
【００３４】
遮光したい太陽の直射光が前面（外面）から矢印Ａ１方向から入射すると、通常太陽光線の進入角度は、上方からくるため、臨界角４２°を超えており、第一仮想波形スリット連続体における下向き傾斜スリット２２の境界面で全反射をする。該全反射した光線は、第二波形配設群スリット２６における上向き傾斜スリット２４の境界面で再び全反射をして、鎖線の如く、入射方向とは逆方向（前面側、室内側）に反射する。この結果、太陽光線Ａ１は、室内への進入が阻止されることになる。
【００３５】
同様に、上向き傾斜スリット２４の境界面に対して入射した光線Ａ２は、上向き傾斜スリット２４の境界面に対して臨界角以下で入射するため、鎖線の如く、傾斜スリットし２４を通過して、第一波形配設群スリット２６における下向き傾斜スリット２２の境界面で全反射をする。該全反射した光線は、太陽光線Ａ１と同様、第二波形配設群スリット２６Ａにおける上向き傾斜スリット２４の境界面で全反射をして、入射方向とは逆方向（前面側、室内側）に反射する。この結果、太陽光線Ａ２は、室内への進入が阻止されることになる。
【００３６】
臨界角に近い角度で第一波形配設群スリット２６における下向き傾斜スリット２２の境界面に入射する高角度の直射太陽光線Ｂも鎖線の如く、第二波形配設群スリット２６における上向き傾斜スリット２４の境界面で全反射しながら、室外側へ反射する。なお、国内では、国内での南中高度は８０°を越えることは殆どないから実用的にはこの高度を考慮する必要はない。
【００３７】
しかし、下向き傾斜スリット２２の交差角α、上向き傾斜スリット２４の交差角βの組合せや直射光の入射角によっては一部全反射を繰り返したあげく室内側へ洩れて進入する場合が考えられる。一部の直射光に限られるので遮光効果を著しく阻害するものではないが、この漏れ光線は、下向き傾斜スリット２２の交差角αや上向き傾斜スリット２４の交差角βを調整することで低減することができる。
【００３８】
なお、下向き傾斜スリット２２の交差角αは遮断したい直射光の高度で決める角度である。また、例えば矢印Ａ３と同方向の光線でも入射する下向き傾斜スリット２２の位置によっては矢印Ａ４の光線のように全反射の状況が違い左右の両側面で全反射を繰り返す場合が起こる。この光はブラインドの下端の部材に集結するのが、下端部に図例の如く、光線吸収塗膜２７を形成したり、梨地化、鋸歯状等の形状的な光吸収散乱処理を施しておけば、消滅できるから遮光の目的はより確実に達成できる。
【００３９】
一方、透視したい屋外景色の光線が矢印Ｅの方向に、あるいは矢印Ｆの方向に進入する場合は全反射を起こす傾斜面がないために光軸がずれることもなく透明板状体（ブラインド本体）２０を通過して屋内側に直進透過することになる。当然、屋外側からも透明板状体２０と通過するため、その位置では透明板状板２０を介して双方から透視可能となる。
【００４０】
従って、上方からの直射日光の屋内進入を遮断できるうえ、屋外下方から覗き見も阻止されるものである。
【００４１】
次に、図２に示す構成のブラインドを製造する場合を、考慮した実用的なブラインドの断面を図３に示す。
【００４２】
後面波形断面の前遮光ユニット２８と前面波形断面の後遮光ユニット３０との間に、両面波形断面の中間遮光ユニット３２を１個挟持して、複数群の仮想波形スリット連続体２６、２６Ａを形成する。
【００４３】
ここで、中間遮光ユニット３２を、立て方向点線で示す如く前・後分割体３２ａ、３２ｂの全面張り合わせ体とした４構成としてもよい。前・後分割体３２ａ、３２ｂの張り合わせ面は全面張り合わせで、光学的意味はない。また、前分割体３２ａは後遮光ユニット３０と、後分割体３２ｂは前分割体３０と、それぞれ同一形状であり、特別に中間遮光ユニット３２を製造（調製）する必要がない。
【００４４】
各遮光ユニット２８、３０、３２を係合させて下向き傾斜スリット２２と上向き傾斜スリット２４との境界部で接合させるだけで遮光ブラインドの製造が容易にできる。なお、各ユニットにおける波面は、平板を押出直後に、波付けロールで賦形することにより容易に製造することができる。
【００４５】
そして、上記構成において、上向き傾斜スリット２４と下向き傾斜スリット２２との接合部を平面部２３としてある。鋭角部分がなくなり、ブラインド本体の不透明感を減ずることができるとともに、各遮光ユニット間相互の張り合わせ（接合）が安定して可能となる。
なお、各遮光ユニットにおける平面部２３はブラインドの機能には直接関係しないから平面の板厚は、結合強度を有しておれば、フィルムのように薄くてよく（たとえば、０．０１〜１ｍｍ）、又その幅は、０．０１〜１ｍｍとする。
【００４６】
透明材料から形成された各遮光ユニットの接合には接着剤や超音波などによる溶着の方法のほか、各遮光ユニットの任意の面に所々設けたアンダーカットの凹凸を嵌合させて留める方法、さらには、ねじ止め（図示せず）などが考えられる。透明波板２を２重３重に重ね合わせれば漏れ光線をより低減させることができる。
【００４７】
なお、図４は、両面波形断面の中間遮光ユニット３２、３２Ａ、３２Ｂ、３２Ｃを２個以上（図例では４個）配置、前遮光ユニット２８と前面波形断面の後遮光ユニット３０との間に配置して、５個の波形配設群スリット２６、２６Ａ、２６Ｂ、２６Ｃを形成したものである。
【００４８】
ブラインド本体に上方からブラインド本体に入射した上方からの各太陽光線Ｇ１、Ｇ２、Ｇ３、Ｇ４は、第一波形配設群スリット２６の下向き傾斜スリット２２の境界面で全反射したあと、第二・第三・第四波形配設群スリット２６Ａ、２６Ｂ、２６Ｃ、２６Ｄの各上向き傾斜スリット２４の各境界面で全反射して室外側へ反射して、遮光する。
【００４９】
なお、入射光の全てを全反射させるためには、図４において、下向き傾斜スリット２２の前面側の一起点Ｒから基材の臨界角に相当する角度Θｃで前面と交差する延長線が隣り（図例では上側）の下向き傾斜スリット２２との交点Ｙを結ぶ線を含む枚数の遮光ユニットが必要となる。図例では、前面側から２８、３２、３２Ａ、３２Ｂ及び３２Ｃの半割り体（３０の相当する）の各遮光ユニットが必要となる。
【００５０】
したがって、ある程度の遮光を確保するためには、図２に示す如く、２個の波形スリット群２６、２６Ａが、すなわち、図３に示す如く、片面波形の前・後遮光ユニット２８、３０とともに両面波形の中間遮光ユニット３２が１個必要となる。
【００５１】
この場合は、確実に入射光の上下端への漏れが理論上阻止できるため、下端または両端の光・吸収散乱処理は不要となる。
【００５２】
また、直射光の遮断角度を小さくするために下向き傾斜傾斜スリット２２の交差角度αを大きくすると、基材臨界角Θｃに交差角αが近くなり、上記ＲＹが長くなり、完全に遮光するために、重ね合わせに必要な遮光ユニットが多数必要となる。なお、上向き傾斜スリット２４についても同様であり、通常、下向き傾斜スリット２２と上向き傾斜スリット２４の各交差角α・βは、同一角度とする。
【００５３】
【産業上の利用可能性】
なお、本発明の技術的思想は、上記の如く、ブラインドばかりでなく、パソコンや携帯電話などのディスプレイを他人に覗き見されないようにするためのスクリーンとしても応用できる。
【００５４】
即ち、本発明の板状遮光体は、上記の如く、第一傾斜スリットと第二傾斜スリットでの全反射で制限される角度を越える範囲の光線の透過を阻止するため、横置きした場合においても（例えば携帯電話やパソコンのディスプレイ部）を、限られた角度でしかディスプレイ部の表示を見ることができない。したがって、本発明の板状遮光体は、電子機器等におけるディスプレイ部の覗き見防止に有効である。
【００５５】
さらに、板状遮光体を円形又は正多角形等に形成して、灯台やサーチライト等の投光器、さらには、自動車のヘッドライトなどにおけるスクリーン（前面ガラス）として適用した場合、両側ないし上下への光漏れのない投光が可能となる。
【図面の簡単な説明】
【図１】従来のブラインドの形状を示す側面断面図である。
【図２】本発明の板状遮光ブラインドの一実施形態を示す断面図である。
【図３】図２における板状遮光ブラインドを製造する場合に好適な構造断面図である。
【図４】図３において中間遮光ユニットを複数個とした構造断面図である。
【符号の説明】
２０、２０Ａ・・・透明板状体（ブラインド本体）
２２・・・第一傾斜スリット（下向き傾斜スリット）
２３・・・平面部（下向き傾斜スリットと上向き傾斜スリットとの連接部）
２４・・・第二傾斜スリット（上向き傾斜スリット）
２６、２６Ａ、２６Ｂ、２６Ｃ・・・波形配設群スリット
２７・・・遮光塗膜
２８・・・前遮光ユニット
３０・・・後遮光ユニット
３２、３２Ａ、３２Ｂ・・・中間遮光ユニット
α・・・第一傾斜スリット（下向き傾斜スリット）の交差角
β・・・第二傾斜スリット（上向き傾斜スリット）の交差角
【図１】
2004250960.tif 000003
【図２】
2004250960.tif 000004
【図３】
2004250960.tif 000005
【図４】
2004250960.tif 000006